(57)【要約】【課題】着脱が可能で、洋風の墓にも適した高級感のある墓前花立を提供する。【解決手段】墓前の台石４の上面に固定される受け座１と、ガラス又は陶磁器からなる有底筒状の外筒本体２１の底部に受け座１と螺合可能な螺合部材２２を一体的に接合した外筒２と、この外筒２内に挿入可能な有底筒状の内筒３とからなる。外筒本体２１がガラス又は陶磁器のもつ光沢や色彩などによって優れた装飾性や高級感を持ち、花を活ける水の取り替えや外筒２及び内筒３の清掃が容易であり、外筒２及び内筒３の取り付けも容易である。【選択図】図２
2010037894.tif 000002
【特許請求の範囲】
【請求項１】
墓前の台石の上面に固定される受け座と、上端が開口し下端部が前記受け座に着脱可能に螺合される外筒と、この外筒内にその上端開口から挿入可能な有底筒状の内筒とからなることを特徴とする墓前花立。
【請求項２】
外筒が、上端が開口した有底筒状の外筒本体の底部に、受け座と螺合可能な螺合部材を一体的に接合したものであることを特徴とする請求項１に記載の墓前花立。
【請求項３】
内筒の上端開口に鍔部が形成され、この鍔部が外筒の上端開口縁に掛止可能であることを特徴とする請求項１に記載の墓前花立。
【請求項４】
外筒本体がガラス又は陶磁器からなることを特徴とする請求項２に記載の墓前花立。
【発明の詳細な説明】
【技術分野】
【０００１】
本発明は、墓前の台石に設けられる墓前花立に関するものである。
【背景技術】
【０００２】
図４は、墓の一例を示す概略的な外観図である。すなわち墓１００は、例えば墓碑１０１と、その背面側の塔婆立１０２と、墓碑１０１の正面側（墓前）の香炉１０３及びその両側の台石１０４などを備える。石材又はコンクリート等からなる台石１０４には、墓参の際に献花するための墓前花立１０５が取り付けられている。
【０００３】
図５は、従来の墓前花立を台石への取付状態で示す断面図である。すなわち従来の墓前花立１０５は、ステンレス鋼からなるものであって、台石１０４に受け座１０６をモルタル１０７などによって定着し、この受け座１０６に形成した螺合部１０６ａに下端部１０５ａを着脱自在にねじ込み固定されるようになっている（例えば特許文献１参照）。
【特許文献１】特開平８−８２１２１号公報
【０００４】
従来の墓前花立１０５は、図５のもののように、ステンレス鋼からなるものが多かったが、近年は、図４のような和風の墓以外に洋風の墓が普及しつつあり、これに伴い、洋風に適したガラス製あるいは陶磁器製のものや、高級感のある材質のものが好まれる傾向がある。しかしながら、例えばガラス製あるいは陶磁器製のものなどは、石材又はコンクリート等からなる台石１０４への取付が困難であり、あるいはいったん取り付けると取り外せなくなってしまい、花立の清掃ができなかったり、破損した場合の取り替えができなかったり、花を活ける水の取り替えが困難になって、ボウフラが発生するなどの問題があった。
【発明の開示】
【発明が解決しようとする課題】
【０００５】
本発明は、以上のような点に鑑みてなされたものであって、その技術的課題は、着脱が可能で、しかも洋風の墓にも適した高級感のある墓前花立を提供することにある。
【課題を解決するための手段】
【０００６】
上述した技術的課題を有効に解決するための手段として、請求項１の発明に係る墓前花立は、墓前の台石の上面に固定される受け座と、上端が開口し下端部が前記受け座に着脱可能に螺合される外筒と、この外筒内にその上端開口から挿入可能な有底筒状の内筒とからなるものである。
【０００７】
また、請求項２の発明に係る墓前花立は、請求項１に記載の外筒が、上端が開口した有底筒状の外筒本体の底部に、受け座と螺合可能な螺合部材を一体的に接合したものである。
【０００８】
また、請求項３の発明に係る墓前花立は、請求項１に記載の内筒の上端開口に鍔部が形成され、この鍔部が外筒の上端開口縁に掛止可能である構成としたものである。
【０００９】
また、請求項４の発明に係る墓前花立は、請求項２に記載の外筒本体がガラス又は陶磁器からなるものである。
【発明の効果】
【００１０】
請求項１の発明に係る墓前花立によれば、墓前に献花される生花を挿し込んで活ける内筒を、外筒に着脱可能に挿入するようにしたため、花を活ける水の取り替えや外筒及び内筒の清掃が容易であるばかりでなく、内筒と別体である外筒を、台石に固定される受け座に着脱可能に取り付けることができ、任意の装飾性を持たせることができる。
【００１１】
請求項２の発明に係る墓前花立によれば、請求項１による効果に加え、外筒が互いに接合された外筒本体と螺合部材からなるため、例えば外筒本体に装飾性や高級感のある材料を選定し、螺合部材に螺子溝の加工の容易な材料を選定することができる。
【００１２】
請求項３の発明に係る墓前花立によれば、請求項１による効果に加え、内筒の上端の鍔部が外筒の上端開口縁に掛止されるので、安定した状態で外筒内に保持することができ、外筒からの内筒の取り出しも容易である。また、前記鍔部が外筒の上端開口から水が入るのを防止するため、外筒が、内部に入りこんだ水の凍結によって破損するのを防止することができる。
【００１３】
請求項４の発明に係る墓前花立によれば、請求項２に記載の外筒本体に、ガラス又は陶磁器のもつ光沢や色彩や風合いなどによって、一層優れた装飾性や高級感を持たせることができる。
【発明を実施するための最良の形態】
【００１４】
以下、本発明に係る墓前花立の好ましい実施の形態について、図面を参照しながら説明する。図１は、本発明に係る墓前花立の取付状態を示す正面図、図２は、本発明に係る墓前花立の取付状態を示す断面図、図３は、本発明に係る墓前花立の分離状態を示す一部断面を表す正面図である。
【００１５】
すなわち図１〜図３に示される形態の墓前花立は、石材又はコンクリート等からなる台石４の上面に固定される受け座１と、上端に開口部を有し下端部が前記受け座１に着脱可能に螺合される外筒２と、この外筒２内にその上端開口部から挿入可能な有底筒状の内筒３とからなる。
【００１６】
受け座１は、金属材、好ましくはステンレス鋼からなるものであって、外観が伏皿状を呈する鍔部１１と、その上面中央部から下方へ陥没形成された雌螺子筒部１２と、更にその下端から鍔部１１の下端位置よりも下方まで突出され、底面に結合孔１３ａが開設された埋め込み筒部１３とからなる。雌螺子筒部１２の内周面には、図３に示されるように、雌螺子溝１２ａが形成されている。
【００１７】
したがって、台石４への受け座１の取り付けに際しては、図２に示されるように、台石４の上面に装着用穴４ａを掘削し、この装着用穴４ａ内にモルタルなどの固結材５を充填してから、受け座１の埋め込み筒部１３を前記装着用穴４ａ内に埋め込むようにして受け座１の鍔部１１を台石４の上に押し付ける。これによって、装着用穴４ａ内の固結材５の一部が結合孔１３ａを介して埋め込み筒部１３の内周に侵入すると共に、鍔部１１内にも入り込むため、固結材５の硬化によって強固な定着状態となる。
【００１８】
外筒２は、ガラス又は陶磁器で成形され外観が壷状を呈する有底筒状の外筒本体２１と、金属材、好ましくはステンレス鋼で製作され前記外筒本体２１の底部に一体的に接合された螺合部材２２とからなる。詳しくは図２に示されるように、外筒２における外筒本体２１の底部２１ａの中央には嵌合部２１ｂが形成されている。一方、外筒２における螺合部材２２は、外周面に受け座１の雌螺子筒部１２の雌螺子溝１２ａと螺合可能な雄螺子部２２ａと、その上端から張り出し形成され、外筒本体２１の底面と接着された着座部２２ｂと、この着座部２２ｂの中央部から突設され、前記外筒本体２１の嵌合部２１ｂに僅かな隙間をもって嵌め込まれる凸部２２ｃとからなる。そして、前記着座部２２ｂと外筒本体２１の底部２１ａが互いに衝合し、前記凸部２２ｃと嵌合部２１ｂが互いに嵌合した状態で、その衝合面間及び嵌合面間が、耐紫外線性及び耐水性に優れた不図示の接着剤を介して強固に接着されている。
【００１９】
すなわち、外筒２をこのような構造することによって、外筒本体２１にガラス又は陶磁器による独特な光沢や色彩や風合いを持たせると共に、金属からなる螺合部材２２には、ガラスや陶磁器では加工が困難な雄螺子溝を容易に形成することができる。
【００２０】
内筒３は、金属材、好ましくはステンレス鋼からなるものであって、墓前に献花する不図示の生花の茎を適当な本数、束にして挿し込むことが可能であると共に、外筒２の外筒本体２１に、その上端開口縁２１ｃの内周から挿入可能な有底円筒状の挿入筒部３１と、その上端から湾曲形状に展開した鍔部３２とからなる。この鍔部３２は、前記外筒本体２１の上端開口縁２１ｃと掛合可能であって、図２に示されるように、挿入筒部３１は、鍔部３２が外筒本体２１にその上端開口縁２１ｃと掛合するまで挿入した状態において、底面３１ａが外筒本体２１の底部２１ａに形成された嵌合部２１ｂと干渉しない程度の深さとなっている。
【００２１】
したがって、上述の構成を有する墓前花立は、台石４に固結材５によって強固に定着した受け座１の雌螺子筒部１２に、外筒２を回しながらその下端の螺合部材２２をねじ込んで行くことによって、受け座１に外筒２を取り付け、この外筒２の外筒本体２１内に内筒３を挿入することによって設置される。また、外筒２における外筒本体２１と螺合部材２２が、互いに凹凸嵌合した状態で耐紫外線性及び耐水性に優れた接着剤を介して強固に接着されているので、受け座１に外筒２を取り付けた状態で長期間にわたって放置しても、外筒本体２１と螺合部材２２の一体性が保持される。しかも、外筒本体２１の底部に形成された嵌合部２１ｂと螺合部材２２に形成された凸部２２ｃは互いに遊嵌され、その隙間に接着剤層が介在しており、外筒本体２１と螺合部材２２の熱膨張差が接着剤層によって吸収されるので、熱膨張差による嵌合部２１ｂの破損も有効に防止される。
【００２２】
そしてこの墓前花立によれば、外筒２の外筒本体２１がガラス又は陶磁器で壷状に成形されたものであるため、ガラス又は陶磁器のもつ光沢や色彩、風合いによって装飾性が高く、あたかも高級な花瓶に活けたような落ち着いた雰囲気をかもし出すことができる。しかも外筒本体２１の上下に、この外筒本体２１とは異なる金属光沢をもつ内筒３の鍔部３２と受け座１の鍔部１１が存在するので、重厚な雰囲気を持ち、洋風の墓にも適した意匠を有するものとなっている。また、外筒本体２１が半透明のガラスからなるものである場合、挿入された内筒３の金属光沢が半透明の外筒本体２１から透けて見えるため美しく、例えば内筒３を銅製品とした場合、外筒本体２１が、中の内筒３によって淡い赤色に見えるので、きれいである。
【００２３】
また、生花を活ける内筒３が、外筒２に着脱可能に挿入され、外筒２も、受け座１に着脱可能に取り付けられるものであるため、花を活ける水を容易に取り替えることができ、外筒２を受け座１から取り外して洗ったり、内筒３を外筒２から取り出して清掃したりするのを容易に行うことができる。しかも生花をガラス又は陶磁器からなる外筒本体２１に直接活けるのではないため、外筒２を受け座１から頻繁に取り外して外筒本体２１の内部を掃除するような必要もない。
【００２４】
また、内筒３の鍔部３２が、外筒本体２１の上端開口縁２１ｃに、これを上から覆うように掛合されるため、雨水などが外筒本体２１内に入りこむのを防止し、このため水の凍結に伴う体積膨張による外筒本体２１の破損を防止することができ、しかもこの鍔部３２によって、内筒３の取り出しや外筒２への挿入を容易に行うことができる。
【図面の簡単な説明】
【００２５】
【図１】本発明に係る墓前花立の取付状態を示す正面図である。
【図２】本発明に係る墓前花立の取付状態を示す断面図である。
【図３】本発明に係る墓前花立の分離状態を示す一部断面を表す正面図である。
【図４】和風の墓の一例を示す概略的な外観図である。
【図５】従来の墓前花立を台石への取付状態で示す断面図である。
【符号の説明】
【００２６】
１  受け座
１１  鍔部
１２  雌螺子筒部
１３  埋め込み筒部
２  外筒
２１  外筒本体
２１ｃ  上端開口縁
２２  螺合部材
３  内筒
３１  挿入筒部
３２  鍔部
４  台石
５  固結材
【図１】
2010037894.tif 000003
【図２】
2010037894.tif 000004
【図３】
2010037894.tif 000005
【図４】
2010037894.tif 000006
【図５】
2010037894.tif 000007